(57)【要約】【課題】  ユーザによる操作に対応する処理の開始時および完了時の映像および／または音声が、ユーザの意図したものとなるようにすること。【解決手段】  ＡＶ装置１は、符号化後の映像信号および／または音声信号を、ＡＶ装置２へ転送する。ＡＶ装置２は、その符号化後の映像信号および／または音声信号を復号化する。再生中の映像信号および／または音声信号に対して再生を中断する所定の操作が発生すると、ＡＶ装置１は、その再生中の映像信号および／または音声信号における再生位置を、ＡＶ装置２で出力されている映像信号および／または音声信号の再生位置に対応させて移動させる。【選択図】  図１
2005285298.tif 000002
【特許請求の範囲】
【請求項１】
映像信号および／または音声信号を他の装置へ転送するＡＶ装置において、
所定の符号化方式で符号化された一連の映像信号および／または音声信号を他の装置へ転送する転送手段と、
再生中の映像信号および／または音声信号に対して再生を中断する所定の操作が発生すると、その再生中の映像信号および／または音声信号における再生位置を、上記他の装置で出力されている映像信号および／または音声信号の再生位置に対応させて移動させる再生位置移動手段と、
を備えることを特徴とするＡＶ装置。
【請求項２】
映像信号および／または音声信号を他の装置へ転送するＡＶ装置において、
所定の符号化方式で符号化された一連の映像信号および／または音声信号を他の装置へ転送する転送手段と、
再生中の映像信号および／または音声信号に対して再生を中断する所定の操作が発生すると、その再生中の映像信号および／または音声信号における再生位置を、少なくとも上記他の装置での映像信号および／または音声信号の復号化処理時間分、移動させる再生位置移動手段と、
を備えることを特徴とするＡＶ装置。
【請求項３】
一連の映像信号および／または音声信号を取得する信号取得手段と、上記一連の映像信号および／または音声信号を所定の符号化方式で符号化する符号化手段とを備え、
前記転送手段は、上記符号化手段により符号化された後の映像信号および／または音声信号を他の装置へ転送し、
前記再生位置移動手段は、再生中の映像信号および／または音声信号に対して再生を中断する所定の操作が発生すると、上記信号取得手段による映像信号および／または音声信号の再生位置を、少なくとも上記符号化手段での符号化処理時間分並びに上記他の装置での映像信号および／または音声信号の復号化処理時間分、移動させること、
を特徴とする請求項２記載のＡＶ装置。
【請求項４】
前記再生位置移動手段は、前記信号取得手段による映像信号および／または音声信号の再生位置を、該ＡＶ装置内の信号伝送路に設けられているバッファにおける遅延時間分、および／または、前記他の装置内の信号伝送路に設けられているバッファにおける遅延時間分を含めた時間分、移動させることを特徴とする請求項２または請求項３記載のＡＶ装置。
【請求項５】
映像信号および／または音声信号を他の装置へ転送するＡＶ装置において、
一連の映像信号および／または音声信号を取得する信号取得手段と、
上記信号取得手段により取得された映像信号および／または音声信号をバッファリングするバッファリング手段と、
上記バッファリング手段によりバッファリングされている映像信号および／または音声信号を順番に他の装置へ転送する転送手段と、
再生中の映像信号および／または音声信号に対して再生を中断する所定の操作が発生すると、上記信号取得手段による映像信号および／または音声信号の再生位置を、上記他の装置で出力されている映像信号および／または音声信号の再生位置に対応させて移動させる再生位置移動手段と、
を備えることを特徴とするＡＶ装置。
【請求項６】
映像信号および／または音声信号を他の装置へ転送するＡＶ装置において、
一連の映像信号および／または音声信号を取得する信号取得手段と、
上記信号取得手段により取得された映像信号および／または音声信号をバッファリングするバッファリング手段と、
上記バッファリング手段によりバッファリングされている映像信号および／または音声信号を順番に他の装置へ転送する転送手段と、
再生中の映像信号および／または音声信号に対して再生を中断する所定の操作が発生すると、上記信号取得手段による映像信号および／または音声信号の再生位置を、少なくとも上記バッファリング手段での映像信号および／または音声信号の遅延時間分、移動させる再生位置移動手段と、
を備えることを特徴とするＡＶ装置。
【請求項７】
映像信号および／または音声信号を他の装置へ転送するＡＶ装置において、
一連の映像信号および／または音声信号を取得する信号取得手段と、
上記一連の映像信号および／または音声信号を所定の符号化方式で符号化し、映像信号および／または音声信号の進行を示す時間コードを符号化後の映像信号および／または音声信号に付加する符号化手段と、
上記符号化手段により符号化された後の映像信号および／または音声信号並びに上記時間コードを他の装置へ転送する転送手段と、
再生中の映像信号および／または音声信号に対して再生を中断する所定の操作が発生した時点に他の装置で復号化された映像信号および／または音声信号の時間コードを上記他の装置から受信する時間コード受信手段と、
上記時間コード受信手段により受信された上記時間コードの位置へ、上記信号取得手段による映像信号および／または音声信号の再生位置を移動させる再生位置移動手段と、
を備えることを特徴とするＡＶ装置。
【請求項８】
映像信号および／または音声信号を他の装置から受信するＡＶ装置において、
映像信号および／または音声信号の進行を示す時間コード、並びに符号化された映像信号および／または音声信号を受信する受信手段と、
上記受信手段により受信された、符号化された映像信号および／または音声信号を復号化する復号化手段と、
再生中の映像信号および／または音声信号に対して再生を中断する所定の操作が発生した時点に上記復号化手段により復号化された映像信号および／または音声信号の時間コードを、その映像信号および／または音声信号の送信元である他の装置に送信する時間コード送信手段と、
を備えることを特徴とするＡＶ装置。
【請求項９】
請求項１から請求項４のいずれか１項記載のＡＶ装置である第１のＡＶ装置と、
上記第１のＡＶ装置に接続された第２のＡＶ装置とを備え、
上記第２のＡＶ装置は、上記第１のＡＶ装置から符号化された映像信号および／または音声信号を受信する受信手段と、上記受信手段により受信された、符号化された映像信号および／または音声信号を復号化する復号化手段とを有すること、
を特徴とするＡＶシステム。
【請求項１０】
請求項７記載のＡＶ装置である第１のＡＶ装置と、
請求項８記載のＡＶ装置であって上記第１のＡＶ装置に接続された第２のＡＶ装置と、
を備えることを特徴とするＡＶシステム。
【請求項１１】
第１のＡＶ装置と第２のＡＶ装置とが接続され上記第１のＡＶ装置から上記第２のＡＶ装置へ映像信号および／または音声信号を転送するＡＶシステムにおける上記第１のＡＶ装置を制御するＡＶ装置制御方法において、
符号化後の映像信号および／または音声信号を上記第１のＡＶ装置から上記第２のＡＶ装置へ転送するステップと、
上記第２のＡＶ装置において符号化後の映像信号および／または音声信号を復号化するステップと、
再生中の映像信号および／または音声信号に対して再生を中断する所定の操作が発生すると、上記第１のＡＶ装置による映像信号および／または音声信号の再生位置を、上記第２のＡＶ装置で出力されている映像信号および／または音声信号の再生位置に対応させて移動させるステップと、
を備えることを特徴とするＡＶ装置制御方法。
【請求項１２】
第１のＡＶ装置と第２のＡＶ装置とが接続され上記第１のＡＶ装置から上記第２のＡＶ装置へ映像信号および／または音声信号を転送するＡＶシステムにおける上記第１のＡＶ装置を制御するＡＶ装置制御方法において、
符号化後の映像信号および／または音声信号を上記第１のＡＶ装置から上記第２のＡＶ装置へ転送するステップと、
上記第２のＡＶ装置において符号化後の映像信号および／または音声信号を復号化するステップと、
再生中の映像信号および／または音声信号に対して再生を中断する所定の操作が発生すると、上記第１のＡＶ装置による映像信号および／または音声信号の再生位置を、少なくとも上記第２のＡＶ装置での映像信号および／または音声信号の復号化処理時間分、移動させるステップと、
を備えることを特徴とするＡＶ装置制御方法。
【請求項１３】
再生中の映像信号および／または音声信号に対して再生を中断する所定の操作が発生すると、前記第１のＡＶ装置による映像信号および／または音声信号の再生位置を、前記第１のＡＶ装置内の信号伝送路に設けられているバッファにおける遅延時間分、および／または、前記第２のＡＶ装置内の信号伝送路に設けられているバッファにおける遅延時間分を含めた時間分、移動させることを特徴とする請求項１２記載のＡＶ装置制御方法。
【請求項１４】
第１のＡＶ装置と第２のＡＶ装置とが接続され上記第１のＡＶ装置から上記第２のＡＶ装置へ映像信号および／または音声信号を転送するＡＶシステムにおける上記第１のＡＶ装置を制御するＡＶ装置制御方法において、
一連の映像信号および／または音声信号を取得するステップと、
取得した映像信号および／または音声信号をバッファリングするステップと、
バッファリングされている映像信号および／または音声信号を順番に上記第１のＡＶ装置から上記第２のＡＶ装置へ転送するステップと、
再生中の映像信号および／または音声信号に対して再生を中断する所定の操作が発生すると、上記第１のＡＶ装置による映像信号および／または音声信号の再生位置を、上記第２のＡＶ装置で出力されている映像信号および／または音声信号の再生位置に対応させて移動させるステップと、
を備えることを特徴とするＡＶ装置制御方法。
【請求項１５】
第１のＡＶ装置と第２のＡＶ装置とが接続され上記第１のＡＶ装置から上記第２のＡＶ装置へ映像信号および／または音声信号を転送するＡＶシステムにおける上記第１のＡＶ装置を制御するＡＶ装置制御方法において、
一連の映像信号および／または音声信号を取得するステップと、
取得した映像信号および／または音声信号をバッファリングするステップと、
バッファリングされている映像信号および／または音声信号を順番に上記第１のＡＶ装置から上記第２のＡＶ装置へ転送するステップと、
再生中の映像信号および／または音声信号に対して再生を中断する所定の操作が発生すると、上記第１のＡＶ装置による映像信号および／または音声信号の再生位置を、少なくとも上記バッファリングでの映像信号および／または音声信号の遅延時間分、移動させるステップと、
を備えることを特徴とするＡＶ装置制御方法。
【請求項１６】
第１のＡＶ装置と第２のＡＶ装置とが接続され上記第１のＡＶ装置から上記第２のＡＶ装置へ映像信号および／または音声信号を転送するＡＶシステムにおける上記第１のＡＶ装置を制御するＡＶ装置制御方法において、
上記第１のＡＶ装置において一連の映像信号および／または音声信号を所定の符号化方式で符号化し、映像信号および／または音声信号の進行を示す時間コードを符号化後の映像信号および／または音声信号に付加するステップと、
符号化後の映像信号および／または音声信号並びに上記時間コードを上記第１のＡＶ装置から上記第２のＡＶ装置へ転送するステップと、
上記第２のＡＶ装置において、符号化された映像信号および／または音声信号を復号化するステップと、
再生転送中の映像信号および／または音声信号に対して再生を中断する所定の操作が発生した時点に復号化された映像信号および／または音声信号の時間コードを、上記第２のＡＶ装置から上記第１のＡＶ装置へ転送するステップと、
上記第１のＡＶ装置において、転送されてきた上記時間コードの位置へ、上記映像信号および／または音声信号の再生位置を移動させるステップと、
を備えることを特徴とするＡＶ装置制御方法。
【発明の詳細な説明】
【技術分野】
【０００１】
本発明は、ＡＶ装置、ＡＶシステムおよびＡＶ装置制御方法に関するものである。
【背景技術】
【０００２】
従来、ＭＰＥＧ２（Moving Picture Experts Group）方式で符号化された映像信号や音声信号を、ＩＥＥＥ１３９４規格のインタフェース（以下、１３９４インタフェースという）により授受する装置が様々存在する（例えば、特許文献１参照）。
【０００３】
【特許文献１】特開２００２−１０１３８７号公報（従来の技術欄）
【発明の開示】
【発明が解決しようとする課題】
【０００４】
このような、ＭＰＥＧ２方式で符号化された映像信号や音声信号を受信したり、再生したりするＡＶ装置から、他のＡＶ装置へ、映像信号や音声信号を１３９４インタフェースで転送することが可能である。
【０００５】
図８は、映像信号と音声信号とを１３９４インタフェースで転送するＡＶシステムの一例を示すブロック図である。図８に示すＡＶシステムでは、ＤＶＤプレーヤ１０１とレシーバ１０２との間で、ケーブル１０３を介して１３９４インタフェース回路１１３，１２１により、アイソクロナス転送で映像信号と音声信号が転送される。
【０００６】
その際、ＤＶＤプレーヤ１０１では、ピックアップ部、ピックアップ部より得られた信号を復調しデジタルデータを再生する再生回路、ＭＰＥＧ２方式で符号化されたデジタルデータを復号化するデコーダなどを含むＤＶＤ再生部１１１により、記録媒体であるＤＶＤ（Digital Versatile Disc）から映像信号と音声信号が再生される。
【０００７】
これらの復号化後の映像信号と音声信号が、ＤＶＤプレーヤ１０１からレシーバ１０２に転送される場合、少なくとも映像信号がＭＰＥＧ２エンコーダ１１２によりＭＰＥＧ２方式で符号化された後に、符号化後のデータストリームとして、１３９４インタフェースで転送される。
【０００８】
そして、レシーバ１０２では、１３９４インタフェース回路１２１により受信された符号化後の映像信号および音声信号が、ＭＰＥＧ２デコーダ１２２によりデコードされ、図示せぬ他の内部回路に供給されたり図示せぬ他の外部装置（ディスプレイ、スピーカ、テレビジョン受像機など）へ出力されたりして、使用される。
【０００９】
このようにして、映像信号および音声信号がＤＶＤプレーヤ１０１からレシーバ１０２へ転送され再生されているときに、リモートコントローラ１０２ａに対して、早送り、早戻し、一時停止などの再生の中断操作が発生すると、その操作情報を含む無線信号が受信部１２３により受信され、その操作情報が制御回路１２４に供給される。制御回路１２４は、その操作情報を、１３９４インタフェース回路１２１、ケーブル１０３および１３９４インタフェース回路１１３を介して、ＤＶＤプレーヤ１０１の制御回路１１４へ転送する。
【００１０】
ＤＶＤプレーヤ１０１の制御回路１１４は、その操作情報を受け取ると、その操作情報に応じた制御信号をＤＶＤ再生部１１１に供給して、その操作情報に対応した処理を実行させる。つまり、例えば、リモートコントローラ１０２ａに対して一時停止の操作が発生した場合には、制御回路１１４は、ＤＶＤ再生部１１１に、現在再生中の映像信号および音声信号の一時停止を指令する。
【００１１】
このようにして、ある装置で一連の映像信号と音声信号を連続的に再生しその映像信号と音声信号を他の装置へ転送させる場合、映像信号と音声信号の供給元であるＤＶＤプレーヤ１０１の制御回路１１４は、操作情報を受け取ると、その操作情報に対応した処理をＤＶＤ再生部１１１に実行させる。このため、操作発生時に、レシーバ１０２で受信され復号化された一連の映像信号および音声信号内の位置と、供給元のＤＶＤプレーヤ１０１によりその操作に対応した処理を実行開始時点に、ＤＶＤ再生部１１１により取得された一連の映像信号および音声信号内の位置との間に時間差（つまり一連の信号内の進行時間上の位置の差）が生じてしまう。これは、ＭＰＥＧ２エンコーダ１１２による符号化処理時間（つまりある時点の信号が入力されてから、その信号が符号化された信号が出力されるまでの時間）、１３９４インタフェース回路１１３，１２１による転送時間、ＭＰＥＧ２デコーダ１２２による復号化処理時間（つまりある時点の符号化された信号が入力されてから、その信号が復号化された信号が出力されるまでの時間）などに起因する。
【００１２】
そして、このような時間差の存在により、ユーザによる操作に対応する処理を開始または完了する際の映像および音声が、ユーザの意図したものとならないという問題が発生する。さらに、図８に示すように、ユーザが操作する操作部（リモートコントローラ１０２ａ）が、映像信号および音声信号の供給を受けるレシーバ１０２側に存在する場合には、その操作部に対して操作が発生した時点から、その操作の情報が、映像信号および音声信号の供給元であるＤＶＤプレーヤ１０１の制御回路１１４へ到達する時点までの遅延も発生するため、上述の問題は顕著になる。
【００１３】
本発明は、上記の問題に鑑みてなされたものであり、ユーザによる操作に対応する処理の開始時および完了時の映像および／または音声がユーザの意図したものとなるようにするＡＶ装置、ＡＶシステムおよびＡＶ装置制御方法を得ることを目的とする。
【課題を解決するための手段】
【００１４】
上記の課題を解決するために、本発明では以下のようにした。
【００１５】
本発明のＡＶ装置の１つは、所定の符号化方式で符号化された一連の映像信号および／または音声信号を他の装置へ転送する転送手段と、再生中の映像信号および／または音声信号に対して再生を中断する所定の操作が発生すると、その再生中の映像信号および／または音声信号における再生位置を、他の装置で出力されている映像信号および／または音声信号の再生位置に対応させて移動させる再生位置移動手段とを備える。
【００１６】
本発明のＡＶ装置の１つは、所定の符号化方式で符号化された一連の映像信号および／または音声信号を他の装置へ転送する転送手段と、再生中の映像信号および／または音声信号に対して再生を中断する所定の操作が発生すると、その再生中の映像信号および／または音声信号における再生位置を、少なくとも他の装置での映像信号および／または音声信号の復号化処理時間分、移動させる再生位置移動手段とを備える。
【００１７】
さらに、本発明のＡＶ装置の１つは、上記発明のＡＶ装置に加え、一連の映像信号および／または音声信号を取得する信号取得手段と、一連の映像信号および／または音声信号を所定の符号化方式で符号化する符号化手段とを備える。そして、転送手段は、符号化手段により符号化された後の映像信号および／または音声信号を他の装置へ転送する。再生位置移動手段は、再生中の映像信号および／または音声信号に対して再生を中断する所定の操作が発生すると、その再生中の映像信号および／または音声信号における再生位置を、少なくとも符号化手段での符号化処理時間分並びに他の装置での映像信号および／または音声信号の復号化処理時間分、移動させる。
【００１８】
さらに、本発明のＡＶ装置の１つは、上記発明のＡＶ装置のいずれかに加え、再生位置移動手段を次のようにしたものである。このＡＶ装置では、再生位置移動手段は、信号取得手段による映像信号および／または音声信号の再生位置を、該ＡＶ装置内の信号伝送路に設けられているバッファにおける遅延時間分、および／または、他の装置内の信号伝送路に設けられているバッファにおける遅延時間分を含めた時間分、移動させる。
【００１９】
また、本発明のＡＶ装置の１つは、一連の映像信号および／または音声信号を取得する信号取得手段と、信号取得手段により取得された映像信号および／または音声信号をバッファリングするバッファリング手段と、バッファリング手段によりバッファリングされている映像信号および／または音声信号を順番に他の装置へ転送する転送手段と、再生中の映像信号および／または音声信号に対して再生を中断する所定の操作が発生すると、信号取得手段による映像信号および／または音声信号の再生位置を、他の装置で出力されている映像信号および／または音声信号の再生位置に対応させて移動させる再生位置移動手段とを備える。
【００２０】
また、本発明のＡＶ装置の１つは、一連の映像信号および／または音声信号を取得する信号取得手段と、信号取得手段により取得された映像信号および／または音声信号をバッファリングするバッファリング手段と、バッファリング手段によりバッファリングされている映像信号および／または音声信号を順番に他の装置へ転送する転送手段と、再生中の映像信号および／または音声信号に対して再生を中断する所定の操作が発生すると、信号取得手段による映像信号および／または音声信号の再生位置を、少なくともバッファリング手段での映像信号および／または音声信号の遅延時間分、移動させる再生位置移動手段とを備える。
【００２１】
また、本発明のＡＶ装置の１つは、一連の映像信号および／または音声信号を取得する信号取得手段と、一連の映像信号および／または音声信号を所定の符号化方式で符号化し、映像信号および／または音声信号の進行を示す時間コードを符号化後の映像信号および／または音声信号に付加する符号化手段と、符号化手段により符号化された後の映像信号および／または音声信号並びに時間コードを他の装置へ転送する転送手段と、再生中の映像信号および／または音声信号に対して再生を中断する所定の操作が発生した時点に他の装置で復号化された映像信号および／または音声信号の時間コードを他の装置から受信する時間コード受信手段と、時間コード受信手段により受信された時間コードの位置へ、信号取得手段による映像信号および／または音声信号の再生位置を移動させる再生位置移動手段とを備える。
【００２２】
また、本発明のＡＶ装置の１つは、映像信号および／または音声信号の進行を示す時間コード、並びに符号化された映像信号および／または音声信号を受信する受信手段と、受信手段により受信された、符号化された映像信号および／または音声信号を復号化する復号化手段と、再生中の映像信号および／または音声信号に対して再生を中断する所定の操作が発生した時点に復号化手段により復号化された映像信号および／または音声信号の時間コードを、その映像信号および／または音声信号の送信元である他の装置に送信する時間コード送信手段とを備える。
【００２３】
本発明のＡＶシステムの１つは、第１のＡＶ装置と、第１のＡＶ装置に接続された第２のＡＶ装置とを備える。そして、第１のＡＶ装置は、所定の符号化方式で符号化された一連の映像信号および／または音声信号を他の装置へ転送する転送手段と、再生中の映像信号および／または音声信号に対して再生を中断する所定の操作が発生すると、その再生中の映像信号および／または音声信号における再生位置を、他の装置で出力されている映像信号および／または音声信号の再生位置に対応させて移動させる再生位置移動手段とを備える。再生位置移動手段は、再生中の映像信号および／または音声信号に対して再生を中断する所定の操作が発生すると、その再生中の映像信号および／または音声信号における再生位置を、少なくとも第２のＡＶ装置での映像信号および／または音声信号の復号化処理時間分、移動させるようにしてもよい。また、第１のＡＶ装置が、一連の映像信号および／または音声信号を所定の符号化方式で符号化する符号化手段を備える場合には、再生位置移動手段は、再生中の映像信号および／または音声信号に対して再生を中断する所定の操作が発生すると、その再生中の映像信号および／または音声信号における再生位置を、少なくとも符号化手段での符号化処理時間分並びに他の装置での映像信号および／または音声信号の復号化処理時間分、移動させるようにしてもよい。他方、第２のＡＶ装置は、第１のＡＶ装置から符号化された映像信号および／または音声信号を受信する受信手段と、受信手段により受信された、符号化された映像信号および／または音声信号を復号化する復号化手段とを有する。
【００２４】
また、本発明のＡＶシステムの１つは、第１のＡＶ装置と、第１のＡＶ装置に接続された第２のＡＶ装置とを備える。そして、第１のＡＶ装置は、一連の映像信号および／または音声信号を所定の符号化方式で符号化し、映像信号および／または音声信号の進行を示す時間コードを符号化後の映像信号および／または音声信号に付加する符号化手段と、符号化手段により符号化された後の映像信号および／または音声信号並びに時間コードを第２のＡＶ装置へ転送する転送手段と、再生中の映像信号および／または音声信号に対して再生を中断する所定の操作が発生した時点に他の装置で復号化された映像信号および／または音声信号の時間コードを第２のＡＶ装置から受信する時間コード受信手段と、時間コード受信手段により受信された時間コードの位置へ、再生中の映像信号および／または音声信号における再生位置を移動させる再生位置移動手段とを備える。他方、第２のＡＶ装置は、時間コード並びに符号化された映像信号および／または音声信号を受信する受信手段と、受信手段により受信された、符号化された映像信号および／または音声信号を復号化する復号化手段と、再生中の映像信号および／または音声信号に対して再生を中断する所定の操作が発生した時点に復号化手段により復号化された映像信号および／または音声信号の時間コードを、その映像信号および／または音声信号の送信元である第１のＡＶ装置に送信する時間コード送信手段とを備える。
【００２５】
本発明のＡＶ装置制御方法の１つは、符号化後の映像信号および／または音声信号を第１のＡＶ装置から第２のＡＶ装置へ転送するステップと、第２のＡＶ装置において符号化後の映像信号および／または音声信号を復号化するステップと、再生中の映像信号および／または音声信号に対して再生を中断する所定の操作が発生すると、第１のＡＶ装置による映像信号および／または音声信号の再生位置を、上記第２のＡＶ装置で出力されている映像信号および／または音声信号の再生位置に対応させて移動させるステップとを備える。
【００２６】
本発明のＡＶ装置制御方法の１つは、符号化後の映像信号および／または音声信号を第１のＡＶ装置から第２のＡＶ装置へ転送するステップと、第２のＡＶ装置において符号化後の映像信号および／または音声信号を復号化するステップと、再生中の映像信号および／または音声信号に対して再生を中断する所定の操作が発生すると、第１のＡＶ装置による映像信号および／または音声信号の再生位置を、少なくとも第２のＡＶ装置での映像信号および／または音声信号の復号化処理時間分、移動させるステップとを備える。
【００２７】
さらに、本発明のＡＶ装置制御方法の１つは、上記発明のＡＶ装置制御方法に加え、再生中の映像信号および／または音声信号に対して再生を中断する所定の操作が発生すると、第１のＡＶ装置による映像信号および／または音声信号の再生位置を、第１のＡＶ装置内の信号伝送路に設けられているバッファにおける遅延時間分、および／または、第２のＡＶ装置内の信号伝送路に設けられているバッファにおける遅延時間分を含めた時間分、移動させる。
【００２８】
また、本発明のＡＶ装置制御方法の１つは、一連の映像信号および／または音声信号を取得するステップと、取得した映像信号および／または音声信号をバッファリングするステップと、バッファリングされている映像信号および／または音声信号を順番に第１のＡＶ装置から第２のＡＶ装置へ転送するステップと、再生中の映像信号および／または音声信号に対して再生を中断する所定の操作が発生すると、第１のＡＶ装置による映像信号および／または音声信号の再生位置を、第２のＡＶ装置で出力されている映像信号および／または音声信号の再生位置に対応させて移動させるステップとを備える。
【００２９】
また、本発明のＡＶ装置制御方法の１つは、一連の映像信号および／または音声信号を取得するステップと、取得した映像信号および／または音声信号をバッファリングするステップと、バッファリングされている映像信号および／または音声信号を順番に第１のＡＶ装置から第２のＡＶ装置へ転送するステップと、再生中の映像信号および／または音声信号に対して再生を中断する所定の操作が発生すると、第１のＡＶ装置による映像信号および／または音声信号の再生位置を、少なくともバッファリングでの映像信号および／または音声信号の遅延時間分、移動させるステップとを備える。
【００３０】
また、本発明のＡＶ装置制御方法の１つは、第１のＡＶ装置において一連の映像信号および／または音声信号を所定の符号化方式で符号化し、映像信号および／または音声信号の進行を示す時間コードを符号化後の映像信号および／または音声信号に付加するステップと、符号化後の映像信号および／または音声信号並びに時間コードを第１のＡＶ装置から第２のＡＶ装置へ転送するステップと、第２のＡＶ装置において、符号化された映像信号および／または音声信号を復号化するステップと、再生転送中の映像信号および／または音声信号に対して再生を中断する所定の操作が発生した時点に復号化された映像信号および／または音声信号の時間コードを、第２のＡＶ装置から第１のＡＶ装置へ転送するステップと、第１のＡＶ装置において、転送されてきた時間コードの位置へ、映像信号および／または音声信号の再生位置を移動させるステップとを備える。
【発明の効果】
【００３１】
本発明によれば、ユーザによるある操作に対応する処理の開始時および完了時の映像および／または音声がユーザの意図したものとなるようにするＡＶ装置、ＡＶシステムおよびＡＶ装置制御方法を得ることができる。
【発明を実施するための最良の形態】
【００３２】
以下、図に基づいて本発明の実施の形態を説明する。
【００３３】
実施の形態１．
図１は、本発明の実施の形態１に係るＡＶシステムの構成を示すブロック図である。図１において、ＤＶＤプレーヤ１は、ＤＶＤに記録されているＭＰＥＧ２方式で符号化された映像データおよび音声データを読み取り、その映像データおよび音声データを復号化し、符号化されていない映像信号および音声信号を再生するＡＶ装置である。
【００３４】
また、レシーバ２は、ＦＭ／ＡＭチューナ、アンプ、サラウンドシステムなどの機能部を内蔵するとともに、外部装置から映像信号および音声信号を受信しそれらを信号処理して出力したり他の機器（ディスプレイとスピーカ、テレビジョン受像機など）に出力したりするＡＶ装置である。
【００３５】
これらの第１のＡＶ装置としてのＤＶＤプレーヤ１と第２のＡＶ装置としてのレシーバ２は、ケーブル３を介して接続される。
【００３６】
図１に示すＤＶＤプレーヤ１において、ＤＶＤ再生部１１は、図示せぬピックアップ部によりＤＶＤから読み取られた信号を復調しデジタルデータを再生する再生回路、ＭＰＥＧ２方式で符号化されたデジタルデータを復号化するデコーダなどを含む回路群である。ＤＶＤ再生部１１は、一連の映像信号および音声信号を取得する信号取得手段として機能する。ＤＶＤ再生部１１からは、符号化されていない映像信号および符号化されていない音声信号が同期した状態で出力される。
【００３７】
また、ＭＰＥＧ２エンコーダ１２は、少なくともＭＰＥＧ２方式で映像信号を符号化する符号化手段として機能する回路である。なお、音声信号は符号化しなくてもよいが、データレートの低減等を目的としてＡＣ−３方式等で圧縮符号化してもよい。
【００３８】
また、１３９４インタフェース回路１３は、１３９４インタフェース方式に従って、ケーブル３を介して接続された他の１３９４インタフェース回路とデータの送受を行う回路である。なお、１３９４インタフェース回路１３は、映像信号および音声信号を他の装置（ここではレシーバ２）へ転送する転送手段として機能する。
【００３９】
また、コネクタ１４は、物理的にかつ電気的にケーブル３の一端のプラグを接続可能であって、ＤＶＤプレーヤ１内部において１３９４インタフェース回路１３と電気的に接続された接続用部品である。
【００４０】
また、制御回路１５は、ＤＶＤ再生部１１を制御する回路である。この制御回路１５は、１３９４インタフェース回路１３により受信された制御信号を受け取り、その制御信号に基づいて、ＤＶＤ再生部１１を制御する。また、この制御回路１５は、再生中のＤＶＤ再生部１１の状態を示す情報（例えば各時点の再生に伴うタイムスタンプ情報など）をＤＶＤ再生部１１から取得し、記憶部１６に格納する。
【００４１】
また、この制御回路１５は、再生中の映像信号および音声信号に対して、再生が中断される所定の操作（早送り、早戻し、コマ送り、コマ戻し、一時停止など）の操作情報を受信すると、その再生中の映像信号および音声信号における再生位置を、ＭＰＥＧ２エンコーダ１２の符号化処理時間分およびレシーバ２のデコーダ２３の復号化処理時間分、移動させる再生位置移動手段として機能する。この実施の形態１では、制御回路１５は、記憶部１６に記憶されているＤＶＤ再生部１１の再生状態情報のうち、ＭＰＥＧ２エンコーダ１２の符号化処理時間およびレシーバ２のデコーダ２３の復号化処理時間の合計だけ遡った時点の情報を読み出し、その情報に基づいて、ＤＶＤ再生部１１の再生位置をその時点の位置へ変更させる。
【００４２】
また、記憶部１６は、再生中のＤＶＤ再生部１１の状態を示す情報を保持する素子または回路である。記憶部１６は、ＲＯＭ、フラッシュメモリなどといった半導体メモリ、磁気媒体などにより実現可能である。なお、記憶部１６には、ＭＰＥＧ２エンコーダ１２の符号化処理時間およびレシーバ２のデコーダ２３の復号化処理時間の合計分だけ、ＤＶＤ再生部１１の状態情報を格納するための記憶容量がある。
【００４３】
他方、図１に示すレシーバ２において、コネクタ２１は、物理的にかつ電気的にケーブル３の他端のプラグを接続可能であって、レシーバ２内部において１３９４インタフェース回路２２と電気的に接続された接続用部品である。
【００４４】
また、１３９４インタフェース回路２２は、１３９４インタフェース方式に従って、ケーブル３を介して接続された他の１３９４インタフェース回路とデータの送受を行う回路である。なお、１３９４インタフェース回路２２は、映像信号および音声信号を他の装置（ここではＤＶＤプレーヤ１）から受信する受信手段として機能する。
【００４５】
また、デコーダ２３は、１３９４インタフェース回路２２により受信された、ＭＰＥＧ２方式で符号化された映像信号を復号化する復号化手段として機能する回路である。なお、デコーダ２３は、音声信号がＡＣ−３方式等で符号化されている場合には、その符号化された音声信号を復号化する復号化手段として機能する。
【００４６】
また、受信部２４は、リモートコントローラ２ａから操作情報を受信する受信回路である。
【００４７】
また、制御回路２５は、受信部２４を介して操作情報を受信すると、その操作情報を１３９４インタフェース回路２２を介してＤＶＤプレーヤ１３に送信させるとともに、必要に応じて、レシーバ２内の図示せぬ部位を制御する回路である。
【００４８】
また、リモートコントローラ２ａは、早送り（ＦＦ）ボタン、早戻し（ＦＢ）ボタン、一時停止ボタンなどを含む操作部（図示せず）と、その操作部に対する操作情報を、赤外線通信、近距離無線通信などで送信する送信部（図示せず）とを備える。
【００４９】
なお、ＤＶＤプレーヤ１における制御回路１５およびレシーバ２における制御回路２５は、マイクロコンピュータ、ＤＳＰ（Digital Signal Processor）などにより実現可能である。
【００５０】
また、レシーバ２には、図示せぬ他の内部回路、セレクタなどが、その機能に応じて適宜設けられており、それらの部位に、デコーダ２３から出力される映像信号および音声信号が供給される。
【００５１】
次に、上記システムの各装置の動作について説明する。
【００５２】
ＤＶＤプレーヤ１において、ＤＶＤ再生部１１は、ＤＶＤに記録されているデータを読み出し、そのデータから一連の映像信号および音声信号を再生する。ＭＰＥＧ２エンコーダ１２は、この一連の映像信号および音声信号のうちの少なくとも映像信号をＭＰＥＧ２方式で符号化し、符号化後のデータストリームを１３９４インタフェース回路１３に供給する。１３９４インタフェース回路１３は、このデータストリームを、アイソクロナス転送の所定のチャネルでレシーバ２へ転送する。また、ＤＶＤプレーヤ１では、ＤＶＤ再生部１１から制御回路１５へＤＶＤ再生部１１の状態情報が再生信号の進行に沿って順次供給され、制御回路１５は、その状態情報を順番に記憶部１６に格納していく。なお、記憶部１６には、この状態情報を所定の期間分だけ格納可能な記憶領域が確保され、その領域が状態情報で一杯になると、古いものが捨てられ、新しいものが追加される。
【００５３】
レシーバ２において、１３９４インタフェース回路２２は、所定のチャネルでＤＶＤプレーヤ１からデータストリームを受信すると、デコーダ２３に供給する。デコーダ２３は、このデータストリームを復号化し、元の一連の映像信号および音声信号を出力する。この映像信号および音声信号は、例えばテレビジョン受像機に供給され、映像（動画像）と音声が出力される。
【００５４】
このようにして、ＤＶＤプレーヤ１によりＤＶＤから再生された映像信号および音声信号がレシーバ２に転送される。
【００５５】
次に、そのような再生状態において所定の操作が発生した場合の処理について説明する。図２は、実施の形態１に係るＡＶシステムにおいて再生中に操作が発生した際の処理について説明するフローチャートである。
【００５６】
まず、リモートコントローラ２ａに対してユーザが操作をすると、その操作情報が、受信部２４を介して制御回路２５に供給される（ステップＳ１）。
【００５７】
レシーバ２の制御回路２５は、再生状態においてその操作についての操作情報を受信すると、１３９４インタフェース回路２２に供給する。１３９４インタフェース回路２２は、その操作情報を、アシンクロナス転送でＤＶＤプレーヤ１に転送する（ステップＳ２）。
【００５８】
ＤＶＤプレーヤ１の１３９４インタフェース回路１３は、その操作情報を受信すると、制御回路１５に供給する。制御回路１５は、その操作情報を受信すると、まず、行われた操作の種別を特定し、その操作の種別が所定の操作（早送り、早戻し、一時停止など）である場合には、記憶部１６から、その操作情報を受信した時点から、ＭＰＥＧ２エンコーダ１２の符号化処理時間およびレシーバ２のデコーダ２３の復号化処理時間の合計だけ遡った時点の情報を読み出し、その情報に基づいて、ＤＶＤ再生部１１の再生位置をその時点の位置へ変更させた後に、その操作情報に対応する処理を実行させるための制御信号をＤＶＤ再生部１１に供給する（ステップＳ３）。なお、その操作情報が上述の所定の操作以外（例えばＤＶＤのイジェクトなど）である場合には、制御回路１５は、再生位置の調整をせずに単にその操作に対応する処理を実行させるための制御信号をＤＶＤ再生部１１に供給する。
【００５９】
そして、ＤＶＤ再生部１１は、その制御信号に応じて、再生位置を変更させた後、指定された処理を実行する（ステップＳ４）。
【００６０】
例えば、レシーバ２で得られる映像信号に基づく映像を表示しているときに、一時停止の操作がされた場合、ＤＶＤプレーヤ１側では、その一時停止操作のタイミングから、ＭＰＥＧ２エンコーダ１２の符号化処理時間とデコーダ２３の復号化処理時間の分だけ遡ったタイミングでの一時停止動作がＤＶＤ再生部１１により行われるため、レシーバ２側では、一時停止操作時の映像で一時停止がなされ、ユーザの意図どおりとなる。
【００６１】
例えば、レシーバ２で得られる映像信号に基づく映像を表示しているときに、早送りの操作がされた場合、ＤＶＤプレーヤ１側では、その早送り操作のタイミングから、ＭＰＥＧ２エンコーダ１２の符号化処理時間とデコーダ２３の復号化処理時間の分だけ遡ったタイミングから早送り動作がＤＶＤ再生部１１により行われるため、レシーバ２側では、早送り動作前後の映像が早送り操作前後のものとなり、ユーザの意図どおりとなる。
【００６２】
以上のように、上記実施の形態１によれば、再生中の映像信号および音声信号に対して再生を中断する所定の操作が発生すると、ＤＶＤプレーヤ１は、その再生中の映像信号および音声信号における再生位置を、ＭＰＥＧ２エンコーダ１２での符号化処理時間分およびデコーダ２３での復号化処理時間分、移動させる。
【００６３】
これにより、符号化処理、復号化処理などによる遅延に起因して発生する映像飛びや音飛びを低減し、ユーザによる操作に対応する処理の際の映像および／または音声を、ユーザの意図したものとすることができる。
【００６４】
なお、上記実施の形態１において、ユーザによって操作がなされた時点で、レシーバ２で所定時間分バッファリングしていた映像信号および／または音声信号をクリアするようにしてもよい（以下、実施の形態でも同様）。
【００６５】
実施の形態２．
図３は、本発明の実施の形態２に係るＡＶシステムの構成を示すブロック図である。図３に示すＤＶＤプレーヤ１では、ＤＶＤ再生部１１により復号化された映像信号および音声信号に両者の同期をとるための時間コード（タイムスタンプ情報など）がＤＶＤ再生部１１から得られる。ＭＰＥＧ２エンコーダ１２Ａは、映像信号および音声信号を符号化しこの時間コードを符号化後のデータストリームに付加する符号化手段として機能する。
【００６６】
また、制御回路１５Ａは、ＤＶＤ再生部１１を制御する回路である。この制御回路１５Ａは、１３９４インタフェース回路１３により受信された制御信号を受け取り、その制御信号に基づいて、ＤＶＤ再生部１１を制御する。制御回路１５Ａは、再生中の映像信号および音声信号に対して再生を中断する所定の操作が発生した時点にレシーバ２で復号化された映像信号および音声信号の時間コードをレシーバ２から受信する時間コード受信手段、並びにその時間コード受信手段により受信された時間コードの位置へ、再生中の映像信号および音声信号における再生位置を移動させる再生位置移動手段として機能する。
【００６７】
他方、図３に示すレシーバ２において、デコーダ２３Ａは、１３９４インタフェース回路２２により受信された、ＭＰＥＧ２方式で符号化されたデータストリームから映像信号および音声信号を復号化するとともにそのデータストリームから時間コードを抽出する復号化手段として機能する回路である。
【００６８】
また、制御回路２５Ａは、受信部２４を介して操作情報を受信すると、その時点にデコーダ２３Ａにより抽出された時間コードとともにその操作情報を１３９４インタフェース回路２２を介してＤＶＤプレーヤ１３に送信させる時間コード送信手段として機能するとともに、必要に応じて、レシーバ２内の図示せぬ部位を制御する回路である。
【００６９】
なお、ＤＶＤプレーヤ１における制御回路１５Ａおよびレシーバ２における制御回路２５Ａは、マイクロコンピュータ、ＤＳＰなどにより実現可能である。
【００７０】
また、レシーバ２のデコーダ２３Ａから出力される映像信号および音声信号は、図示せぬ他の内部回路、セレクタなどの部位に供給される。
【００７１】
なお、図３におけるその他の構成要素については、実施の形態１のものと同様であるので、その説明を省略する。
【００７２】
次に、上記システムの各装置の動作について説明する。
【００７３】
ＤＶＤプレーヤ１において、ＤＶＤ再生部１１は、ＤＶＤに記録されているデータを読み出し、一連の映像信号および音声信号並びに時間コードを再生する。ＭＰＥＧ２エンコーダ１２Ａは、この一連の映像信号および音声信号をＭＰＥＧ２方式で符号化し、符号化後のデータストリームに時間コードを付加して、１３９４インタフェース回路１３に供給する。１３９４インタフェース回路１３は、このデータストリームをレシーバ２へ転送する。
【００７４】
レシーバ２において、１３９４インタフェース回路２２は、ＤＶＤプレーヤ１からデータストリームを受信すると、デコーダ２３Ａに供給する。デコーダ２３Ａは、このデータストリームから時間コードを抽出し制御回路２５Ａに供給するとともにそのデータストリームを復号化し、元の一連の映像信号および音声信号を出力する。この映像信号および音声信号は、例えばテレビジョン受像機に供給され、映像（動画像）と音声が出力される。
【００７５】
このようにして、ＤＶＤプレーヤ１によりＤＶＤから再生された映像信号および音声信号がレシーバ２に転送される。
【００７６】
次に、そのような再生状態において所定の操作が発生した場合の処理について説明する。図４は、実施の形態２に係るＡＶシステムにおいて再生中に操作が発生した際の処理について説明するフローチャートである。
【００７７】
まず、リモートコントローラ２ａに対してユーザが操作をすると、その操作情報が、受信部２４を介して制御回路２５Ａに供給される（ステップＳ２１）。
【００７８】
レシーバ２の制御回路２５Ａは、再生状態においてその操作についての操作情報を受信すると、その時点で供給された時間コードとともに、１３９４インタフェース回路２２に供給する。１３９４インタフェース回路２２は、その操作情報を、アシンクロナス転送でＤＶＤプレーヤ１に転送する（ステップＳ２２）。
【００７９】
ＤＶＤプレーヤ１の１３９４インタフェース回路１３は、その操作情報を受信すると、制御回路１５Ａに供給する。制御回路１５Ａは、その操作情報を受信すると、その操作情報の示す操作が所定の操作（早送り、早戻し、一時停止など）である場合には、その時間コードの示す位置へ再生位置を移動させた後、その操作に対応する処理を実行させるための制御信号をＤＶＤ再生部１１に供給する（ステップＳ２３）。ＤＶＤ再生部１１は、その制御信号に応じた処理を実行する（ステップＳ２４）。
【００８０】
以上のように、上記実施の形態２によれば、ＤＶＤプレーヤ１は、一連の映像信号および音声信号を符号化し時間コードを符号化後の映像信号および音声信号に付加し、それらをレシーバ２へ転送する。レシーバ２は、符号化された映像信号および音声信号を復号化する。そして、再生転送中の映像信号および音声信号に対して再生を中断する所定の操作が発生すると、レシーバ２は、その時点に復号化された映像信号および音声信号の時間コードを、ＤＶＤプレーヤ１へ転送する。ＤＶＤプレーヤ１は、その時間コードの位置へ、再生中の映像信号および／または音声信号における再生位置を移動させる。
【００８１】
これにより、符号化処理、復号化処理などによる遅延に起因して発生する映像飛びや音飛びを低減し、ユーザによる操作に対応する処理の際の映像および／または音声を、ユーザの意図したものとすることができる。
【００８２】
実施の形態３．
本発明の実施の形態３に係るＡＶシステムは、実施の形態１におけるＤＶＤプレーヤ１を、符号化された映像信号および音声信号をそのままレシーバ２に転送する再生装置４１に置き換えたものである。
【００８３】
図５は、本発明の実施の形態３に係るＡＶシステムにおける再生装置４１の構成を示すブロック図である。図５において、再生装置４１は、ＭＰＥＧ２方式で符号化された映像信号およびＡＣ−３方式で符号化された音声信号をそのままレシーバ２に転送するＡＶ装置である。
【００８４】
再生装置４１において、再生部５１は、ＭＰＥＧ２方式で符号化された映像信号およびＡＣ−３方式で符号化された音声信号を取得する信号取得手段としての回路群である。例えば、再生部５１は、ハードディスク装置などの大規模記録媒体から、符号化された映像信号および音声信号を読み出す。
【００８５】
また、制御回路１５Ｂは、制御回路１５と同様に、ＤＶＤ再生部１１を制御するとともに、再生中のＤＶＤ再生部１１の状態を示す情報（例えば各時点の再生に伴うタイムスタンプ情報など）をＤＶＤ再生部１１から取得し、記憶部１６Ａに格納する。
【００８６】
ただし、この制御回路１５Ｂは、再生中の映像信号および音声信号に対して、再生が中断される所定の操作（早送り、早戻し、コマ送り、コマ戻し、一時停止など）の操作情報を受信すると、その再生中の映像信号および音声信号における再生位置を、レシーバ２のデコーダ２３の復号化処理時間分、移動させる再生位置移動手段として機能する。この実施の形態２では、制御回路１５Ｂは、記憶部１６Ａに記憶されている情報のうち、レシーバ２のデコーダ２３の復号化処理時間だけ遡った時点の情報を読み出し、その情報に基づいて、ＤＶＤ再生部１１の再生位置をその時点の位置へ変更させる。
【００８７】
また、記憶部１６Ａは、記憶部１６と同様の素子または回路である。ただし、記憶部１６Ａには、レシーバ２のデコーダ２３の復号化処理時間分だけ、ＤＶＤ再生部１１の状態情報を格納するための記憶容量があればよい。
【００８８】
なお、１３９４インタフェース回路１３およびコネクタ１４については、上述のＤＶＤプレーヤ１のものと同様のものである。
【００８９】
また、この実施の形態３におけるレシーバ２は、実施の形態１のものと同様であるので、その説明を省略する。
【００９０】
次に、上記システムの各装置の動作について説明する。
【００９１】
再生装置４１では、再生部５１により取得された符号化済みの映像信号および音声信号が、１３９４インタフェース回路１３によりレシーバ２へ転送される。その際、制御回路１５Ｂは、その信号の進行を示す情報などといった各時点の再生部５１の状態情報を再生部５１から取得し、記憶部１６Ａに格納していく。
【００９２】
そして、実施の形態１の場合と同様に、再生中に早送りや一時停止などの所定の操作が発生すると、その操作情報に対応して、制御回路１５は、レシーバ２のデコーダ２３の復号化処理時間分だけ遡った時点での情報を記憶部１６Ａから読み出し、その情報の示す位置へ再生位置を移動させその操作情報に対応する処理を実行させる制御信号を再生部５１に供給する。
【００９３】
この実施の形態３では、再生装置４１内で、転送前の符号化処理が不要であるので、レシーバ２のデコーダ２３の復号化処理時間分だけ、再生位置が調整される。
【００９４】
なお、実施の形態３におけるレシーバ２の動作は、実施の形態１の場合と同様であるので、その説明を省略する。
【００９５】
なお、実施の形態３ではＭＰＥＧ２方式で符号化されたデータを再生装置４１からレシーバ２へ転送しているが、レシーバ２にＭＰＥＧ２以外の方式のデコーダを設け、その方式で符号化された映像信号および音声信号をそのままレシーバ２に転送するようにしてもよい。
【００９６】
以上のように、上記実施の形態３によれば、再生中の映像信号および音声信号に対して再生を中断する所定の操作が発生すると、再生装置４１は、その再生中の映像信号および音声信号における再生位置を、デコーダ２３での復号化処理時間分、移動させる。
【００９７】
これにより、符号化処理、復号化処理などによる遅延に起因して発生する映像飛びや音飛びを低減し、ユーザによる操作に対応する処理の際の映像および／または音声を、ユーザの意図したものとすることができる。
【００９８】
実施の形態４．
本発明の実施の形態４に係るＤＶＤプレーヤ１は、実施の形態２におけるＤＶＤプレーヤ１に、実施の形態１におけるＤＶＤプレーヤ１の機能を追加したものである。
【００９９】
図６は、本発明の実施の形態４に係るＤＶＤプレーヤの構成を示すブロック図である。制御回路１５Ｃは、実施の形態１における制御回路１５の機能と、実施の形態２における制御回路１５Ａの機能とを有する。
【０１００】
したがって、実施の形態４におけるＤＶＤプレーヤ１では、制御回路１５Ｃは、所定の操作を示す操作情報を受信した際に、その操作情報に時間コードが付加されているか否かを判定し、その操作情報に時間コードが付加されている場合には、実施の形態２のＤＶＤプレーヤ１と同様にしてその時間コードに基づき再生位置を調整し、その操作情報に時間コードが付加されていない場合には、実施の形態１のＤＶＤプレーヤ１と同様にして記憶部１６に記憶されている情報に基づき再生位置を調整する。
【０１０１】
つまり、このＤＶＤプレーヤ１に実施の形態１のレシーバ２を接続しても実施の形態２のレシーバ２を接続しても円滑に再生位置が調整される。
【０１０２】
なお、実施の形態４に係るＤＶＤプレーヤ１のその他の構成および動作については、実施の形態２のものと同様であるので、その説明を省略する。
【０１０３】
以上のように、上記実施の形態４に係るＤＶＤプレーヤ１は、実施の形態１のレシーバ２を接続されても実施の形態２のレシーバ２を接続されても、円滑に再生位置を調整することができる。
【０１０４】
実施の形態５．
本発明の実施の形態５に係るＡＶシステムでは、ＤＶＤプレーヤ１において取得された符号化されていない映像信号および音声信号が、そのままレシーバ２へ転送される。
【０１０５】
図７は、本発明の実施の形態５に係るＡＶシステムの構成を示すブロック図である。図７に示すＤＶＤプレーヤ１において、ＦＩＦＯバッファ６１は、ＤＶＤ再生部１１の出力と１３９４インタフェース回路１３への入力との間で映像信号および音声信号をバッファリングしＦＩＦＯ（First-In First-Out）の順番で出力するバッファリング手段として機能する回路である。
【０１０６】
また、制御回路１５Ｄは、制御回路１５と同様に、ＤＶＤ再生部１１を制御するとともに、再生中のＤＶＤ再生部１１の状態を示す情報（例えば各時点の再生に伴うタイムスタンプ情報など）をＤＶＤ再生部１１から取得し、記憶部１６Ｂに格納する。
【０１０７】
ただし、この制御回路１５Ｄは、再生中の映像信号および音声信号に対して、再生が中断される所定の操作（早送り、早戻し、コマ送り、コマ戻し、一時停止など）の操作情報を受信すると、その再生中の映像信号および音声信号における再生位置を、ＦＩＦＯバッファ６１での遅延時間分、移動させる再生位置移動手段として機能する。この実施の形態５では、制御回路１５Ｄは、記憶部１６Ｂに記憶されている情報のうち、ＦＩＦＯバッファ６１での遅延時間だけ遡った時点の情報を読み出し、その情報に基づいて、ＤＶＤ再生部１１の再生位置をその時点の位置へ変更させる。
【０１０８】
また、記憶部１６Ｂは、上述の記憶部１６と同様に、ＤＶＤ再生部１１の各時点の状態の情報を記憶する。ただし、記憶部１６Ｂには、ＦＩＦＯバッファ６１での信号の遅延時間（ＦＩＦＯバッファ６１へ入力されてから出力されるまでの時間）分の、ＤＶＤ再生部１１の各時点の状態の情報を記憶するための記憶容量がある。
【０１０９】
また、図７に示すレシーバ２は、実施の形態１におけるレシーバ２からデコーダ２３を取り除いたものである。
【０１１０】
なお、図７におけるその他の構成要素については、実施の形態１の場合と同様であるので、その説明を省略する。
【０１１１】
次に、上記システムの各装置の動作について説明する。
【０１１２】
ＤＶＤプレーヤ１において、ＤＶＤ再生部１１は、ＤＶＤに記録されているデータを読み出し、一連の映像信号および音声信号を再生する。その一連の映像信号および音声信号は、１３９４インタフェース回路１３に供給され、１３９４インタフェース回路１３により、アイソクロナス転送の所定のチャネルでレシーバ２へ転送される。また、制御回路１５Ｄは、再生時のＤＶＤ再生部１１の状態情報を記憶部１６Ｂに順次格納していく。
【０１１３】
レシーバ２において、１３９４インタフェース回路２２は、所定のチャネルでＤＶＤプレーヤ１から一連の映像信号および音声信号を受信すると、それを出力する。この映像信号および音声信号は、例えばテレビジョン受像機に供給され、映像（動画像）と音声が出力される。
【０１１４】
このようにして、ＤＶＤプレーヤ１によりＤＶＤから再生された映像信号および音声信号がレシーバ２に転送される。
【０１１５】
次に、そのような再生状態において所定の操作が発生した場合の処理について説明する。
【０１１６】
まず、リモートコントローラ２ａに対してユーザが所定の操作をすると、その操作情報が、レシーバ２の受信部２４、制御回路２５、１３９４インタフェース回路２２を介してＤＶＤプレーヤ１に転送される。
【０１１７】
ＤＶＤプレーヤ１の１３９４インタフェース回路１３は、その操作情報を受信すると、制御回路１５Ｄに供給する。制御回路１５Ｄは、その操作情報を受信すると、その操作情報の示す操作の種別を特定し、その操作が所定の操作である場合には、記憶部１６Ｂから、その時点からＦＩＦＯバッファ６１での遅延時間を遡った時点の状態情報を読み出し、その情報に基づきその遅延時間分を遡った時点の再生位置へ、現時点の再生位置を移動させた後にその操作に応じた処理（早送り、早戻し、一時停止など）を実行させるための制御信号をＤＶＤ再生部１１に供給する。ＤＶＤ再生部１１は、その制御信号に応じた処理を実行する。
【０１１８】
以上のように、上記実施の形態５によれば、ＤＶＤプレーヤ１では、ＤＶＤ再生部１１は、一連の映像信号および音声信号を取得し、ＦＩＦＯバッファ６１は、その映像信号および音声信号をバッファリングし、１３９４インタフェース回路１３は、バッファリングされている映像信号および音声信号を順番にレシーバ２へ転送する。そして、再生中の映像信号および音声信号に対して再生を中断する所定の操作が発生すると、ＤＶＤプレーヤ１は、その再生中の映像信号および音声信号における再生位置を、少なくともＦＩＦＯバッファ６１での映像信号および音声信号の遅延時間分、移動させる。
【０１１９】
これにより、バッファリング処理などによる遅延に起因して発生する映像飛びや音飛びを低減し、ユーザによる操作に対応する処理の際の映像および音声を、ユーザの意図したものとすることができる。なお、ＦＩＦＯバッファ６１の前もしくは後に他の実施の形態にあるようなＭＰＥＧ２エンコーダを挿入し、また、レシーバ２の１３９４インタフェース回路２２の後にデコーダを挿入してもよい。この場合には、バッファリング処理、エンコード処理、デコード処理に要する時間を基にして、再生位置が移動される。また、レシーバ２の１３９４インタフェース回路２２の後にデコーダを設けた場合、そのデコーダの前後の少なくとも一方にさらにバッファも挿入するようにしてもよい。この場合には、さらに当該バッファでのバッファリングに要する時間も含めて再生位置の移動量が決定される。
【０１２０】
なお、上述の各実施の形態は、本発明の好適な例であるが、本発明は、これらに限定されるものではなく、本発明の要旨を逸脱しない範囲において、種々の変形、変更が可能である。
【０１２１】
例えば、上記各実施の形態では、転送時に映像信号を符号化する方式は、ＭＰＥＧ２とされているが、この符号化方式は、ＭＰＥＧ２に限定されず、他のＭＰＥＧ方式でもよく、さらに、ＭＰＥＧ以外の符号化方式でもよい。
【０１２２】
また、上記各実施の形態では、転送に使用されるインタフェースは、１３９４インタフェースとされているが、転送に使用されるインタフェースは、１３９４インタフェースに限定されず、映像信号および音声信号や符号化されたデータストリームを所定のレートで転送可能なものであれば、他のものでもよい。
【０１２３】
また、上記各実施の形態では、映像信号および音声信号を装置間で転送しているが、映像信号のみを転送する場合、また、音声信号のみを転送する場合でも、上述のようにして再生位置を調整することが可能である。
【０１２４】
また、上記各実施の形態では、所定の操作が発生した場合、制御回路１５，１５Ａ，１５Ｂ，１５Ｃ，１５Ｄは、その操作に対応する処理の実行開始前あるいは開始時に再生位置の調整を行っているが、その代わりに、早送り、早戻しなどの操作が発生した場合には、その操作に対応する処理の実行完了時に再生位置の調整を行うようにしてもよい。
【０１２５】
また、上記各実施の形態においては、ユーザの操作を受け付ける操作部がレシーバ２側（つまり受信側）のリモートコントローラ２ａにあるが、操作部はレシーバ２の筐体に設けられていてもよい。また、ＤＶＤプレーヤ１や再生装置４１の操作部を操作した場合でも、上述の場合と同様な再生位置の調整処理を実行するようにしてもよい。
【０１２６】
また、上記各実施の形態においては、受信側のＡＶ装置（レシーバ２）から送信側のＡＶ装置（ＤＶＤプレーヤ１、再生装置４１）への操作情報の転送時間を、送信側のＡＶ装置での再生位置の調整の際に考慮していないが、この操作情報の転送時間の分をさらに遡った位置へ再生位置を移動させるようにしてもよい。
【０１２７】
また、上記各実施の形態において、ケーブル３を介して他のＡＶ装置が接続されると、ＤＶＤプレーヤ１や再生装置４１の制御回路１５等が、接続されたＡＶ装置のデコーダ２３の復号化処理時間を受信し、その時間、あるいはその時間と符号化処理時間との合計時間だけ遡った時点の状態情報を読み出し再生位置を調整させるようにしてもよい。
【０１２８】
また、上記各実施の形態では、送信側のＡＶ装置を例としてＤＶＤプレーヤ１や再生装置４１としているが、送信側のＡＶ装置の形態は、その他の記録媒体に記録されたデータから映像信号および音声信号を再生する再生装置などでもよい。
【０１２９】
また、上記各実施の形態では、受信側のＡＶ装置を一例としてレシーバ２としているが、受信側のＡＶ装置の形態は、記録可能なＤＶＤ、ビデオテープ、ハードディスクドライブなどに映像と音声を合わせて記録する録画装置、ＡＶアンプ、供給された映像信号と音声信号に基づいて映像を表示したり音声を出力したりする表示装置などでもよい。
【０１３０】
また、上記各実施の形態において、レシーバ２の代わりに、記録可能なＤＶＤなどの記録媒体に映像および／または音声のデータを記録する記録装置を使用するようにしてもよい。その場合、ユーザの操作に基づいて映像および／または音声を編集し編集後の映像および／または音声のデータを記録するときでも、記録される映像や音声に切れ目が生じず、ユーザの意図したどおりに編集を行うことができる。
【０１３１】
なお、ＤＶＤプレーヤなどで映像信号および／または音声信号を再生する際、所定量のデータをバッファリングすることは一般的に行われていることであり、同様のバッファリングが、上記各実施の形態における装置でも行われている。上記各実施の形態におけるＤＶＤプレーヤ１のＤＶＤ再生部１１やレシーバ２のデコーダ２３なども、そのための図示せぬバッファを内蔵している。したがって、上述した符号化処理や復号化処理に要する時間に、このバッファでのバッファリングで生じる時間差（バッファからの出力時刻とバッファへの入力時刻との差）を含めるようにしてもよいのは当然である。
【産業上の利用可能性】
【０１３２】
本発明は、例えば、映像および音声を扱うＡＶシステムに適用可能である。そのようなＡＶシステムとしては、例えばホームシアターシステムがある。
【図面の簡単な説明】
【０１３３】
【図１】図１は、本発明の実施の形態１に係るＡＶシステムの構成を示すブロック図である。
【図２】図２は、実施の形態１に係るＡＶシステムにおいて再生中に操作が発生した際の処理について説明するフローチャートである。
【図３】図３は、本発明の実施の形態２に係るＡＶシステムの構成を示すブロック図である。
【図４】図４は、実施の形態２に係るＡＶシステムにおいて再生中に操作が発生した際の処理について説明するフローチャートである。
【図５】図５は、本発明の実施の形態３に係るＡＶシステムにおける再生装置の構成を示すブロック図である。
【図６】図６は、本発明の実施の形態４に係るＤＶＤプレーヤの構成を示すブロック図である。
【図７】図７は、本発明の実施の形態５に係るＡＶシステムの構成を示すブロック図である。
【図８】図８は、映像信号と音声信号とを１３９４インタフェースで転送するＡＶシステムの一例を示すブロック図である。
【符号の説明】
【０１３４】
１  ＤＶＤプレーヤ（ＡＶ装置，第１のＡＶ装置）
２  レシーバ（ＡＶ装置，第２のＡＶ装置）
１１  ＤＶＤ再生部（信号取得手段）
１２，１２Ａ  ＭＰＥＧ２エンコーダ（符号化手段）
１３  １３９４インタフェース回路（転送手段）
１５，１５Ｂ，１５Ｄ  制御回路（再生位置移動手段）
１５Ａ，１５Ｃ  制御回路（時間コード受信手段，再生位置移動手段）
２２  １３９４インタフェース回路（受信手段）
２３，２３Ａ  デコーダ（復号化手段）
２５Ａ  制御回路（時間コード送信手段）
４１  再生装置（ＡＶ装置，第１のＡＶ装置）
５１  再生部（信号取得手段）
６１  ＦＩＦＯバッファ（バッファリング手段）
【図１】
2005285298.tif 000003
【図２】
2005285298.tif 000004
【図３】
2005285298.tif 000005
【図４】
2005285298.tif 000006
【図５】
2005285298.tif 000007
【図６】
2005285298.tif 000008
【図７】
2005285298.tif 000009
【図８】
2005285298.tif 000010